(57)【特許請求の範囲】
【請求項１】
商用交流電源から交流電力を受け、該交流電力を第１の調光操作に応じて位相制御して位相制御交流電力を生成し該位相制御交流電力を出力する主調光器と、
複数のコンデンサ、および該複数のコンデンサの接続状態を前記位相制御交流電力の電位差に応じて切り替える半導体素子による切換部を有し前記位相制御交流電力を平滑化する整流平滑回路、ならびに該整流平滑回路で平滑化された電力を第２の調光操作に応じた直流電力に変換するチョッパ型電源回路を各々が有し、１台の前記主調光器から互いに並列に該位相制御交流電力の供給を受けるとともに、互いに独立した第２の調光操作に応じた互いに独立した値の各直流電力に変換する複数台の副調光器と、
各々がＬＥＤを有し、前記複数台の副調光器が直流電力の供給を分担し、供給された直流電力で該ＬＥＤを発光させる複数台の照明器とを備えたことを特徴とするＬＥＤ照明システム。
【請求項２】
前記主調光器および前記副調光器のそれぞれが、宅内配線用の配線ボックスに配置される日本工業規格で規格化された配線器具取付枠に取り付けられるものであることを特徴とする請求項１記載のＬＥＤ照明システム。
【発明の詳細な説明】
【技術分野】
【０００１】
本発明は、ＬＥＤ（発光ダイオード）照明システムに関する。
【背景技術】
【０００２】
ＬＥＤを用いた照明器は、白熱電球や蛍光灯よりも高効率・高寿命であるため、例えば住宅やオフィスの照明手段として普及してきている。
【０００３】
白熱電球を有する既存の照明システムでは、白熱電球の明るさを例えば部屋の壁等に設けられた位相制御方式の調光器によって調光可能としたものが多い。ＬＥＤ照明器に関しては、特定メーカの限定された組合せに制限されるものの、特定のＬＥＤ照明器と調光器の組合せにより調光可能なものが知られている。また、リモートコントローラからのワイヤレス制御によって光量を制御可能な、いわゆるリモコン付き調光器内蔵ＬＥＤ電球が知られている。（例えば、非特許文献１参照。）。
【先行技術文献】
【非特許文献】
【０００４】
【非特許文献１】http://www.sharp.co.jp/led_lighting/consumer/product/e26_general/colorlight/index.html
【発明の概要】
【発明が解決しようとする課題】
【０００５】
住宅やオフィスの照明においては、照明器の明るさを２か所で調整できるようにしたいという要望がある。例えば、部屋のテーブルを照明するダウンライトの明るさをテーブル付近に居ながら調整するとともに、部屋の入口付近で部屋全体に亘る明るさを見ながら時刻や環境に応じて明るさを調整する場合である。
【０００６】
しかしながら、上述した位相制御方式の調光器は、交流電力を位相制御によって、すなわちトライアック等の作用により波形の一部を欠けさせることによって電力（エネルギー）を変化させている。したがって、２か所で明るさを調整する目的で位相制御方式の調光器を２重に連結しようとすると、２段目の調光器が１段目の調光器から位相制御された交流電力を受けることになり、位相制御が正常に行えず誤動作したり、故障したりするおそれがある。このことは、上述したリモコン付き調光器内蔵ＬＥＤ電球を、従来の白熱電球用の調光器に接続した場合も同様である。リモコン付き調光器内蔵ＬＥＤ電球のような調光器内蔵ＬＥＤ電球には、安定化用のフィードバック回路を有するスイッチング電源が内蔵されることが通常であり、供給される交流電力が位相制御されると、ＬＥＤに掛かる電圧が位相制御の影響を受けてちらつきが生じたり、異常動作や故障の原因となる。
【０００７】
本発明は上記問題点を解決し、明るさが２か所で調整できるＬＥＤ照明システムを提供することを目的とするものである。
【課題を解決するための手段】
【０００８】
上記目的を達成する本発明のＬＥＤ照明システムは、
商用交流電源から交流電力を受け、この交流電力を第１の調光操作に応じて位相制御して位相制御交流電力を生成しこの位相制御交流電力を出力する主調光器と、
複数のコンデンサ、およびこの複数のコンデンサの接続状態を上記位相制御交流電力の電位差に応じて切り替える半導体素子による切換部を有し上記位相制御交流電力を平滑化する整流平滑回路、ならびにこの整流平滑回路で平滑化された電力を第２の調光操作に応じた直流電力に変換するチョッパ型電源回路を各々が有し、１台の主調光器から互いに並列に位相制御交流電力の供給を受けるとともに、互いに独立した第２の調光操作に応じた互いに独立した値の各直流電力に変換する複数台の副調光器と、
各々がＬＥＤを有し、上記複数台の副調光器が直流電力の供給を分担し、供給された直流電力でＬＥＤを発光させる複数台の照明器とを備えたことを特徴とする。
【０００９】
本発明のＬＥＤ照明システムでは、副調光器が、位相制御交流電力の電位差に応じてコンデンサの接続状態を半導体素子により切り替えながら平滑化する整流平滑回路を備えているため、主調光器から受ける位相制御された交流電力から、揺らぎを抑えた直流電力を出力することができる。したがって、ＬＥＤ照明器に対し、主調光器における第１の調光操作、および副調光器における第２の調光操作による２重の調光が可能となる。
【００１１】
また、本発明のＬＥＤ照明システムは、１台の主調光器に対応する複数台ある副調光器のそれぞれが、照明器（あるいは照明器のグループ）を制御する構成であるため、例えば、部屋の中の各場所ごとの明るさの配分については副調光器によって設定しておくとともに、部屋全体の明るさについては主調光器で一括して調整することが可能となる。
【００１２】
また、上記本発明のＬＥＤ照明システムにおいて、上記主調光器および上記副調光器のそれぞれが、宅内配線用の配線ボックスに配置される日本工業規格で規格化された配線器具取付枠に取り付けられるものであることが好ましい。
【００１３】
主調光器および副調光器を例えば部屋の壁に設けられた配線ボックスに並べて配置し、部屋の各部分の明るさ配分の設定と、部屋全体の明るさの設定とを、集中操作することが可能となる。
【発明の効果】
【００１４】
以上説明したように、本発明によれば、明るさが２か所で調整できるＬＥＤ照明システムが実現する。
【図面の簡単な説明】
【００１５】
【図１】本発明のＬＥＤ照明システムの第１実施形態を示す構成図である。
【図２】図１に示す主調光器の回路図である。
【図３】図２に示す主調光器の各部の電位波形および電流波形を示すグラフである。
【図４】図１に示す副調光器の回路図である。
【図５】ＬＥＤ照明システムの第２実施形態を説明する図である。
【図６】第３実施形態における主調光器および副調光器の配置を示す正面図である。
【図７】第４実施形態のＬＥＤ照明システムを示す構成図である。
【発明を実施するための形態】
【００１６】
以下図面を参照して本発明の実施の形態を説明する。
【００１７】
図１は、本発明のＬＥＤ照明システムの第１実施形態を示す構成図である。
【００１８】
図１に示すＬＥＤ照明システムＳ１は、例えば住宅やオフィスビルに配備され、商用交流電源４からの交流電圧を受けて照明を行う照明システムである。ＬＥＤ照明システムＳ１は、主調光器１、副調光器２、およびＬＥＤ照明器３を備えている。
【００１９】
主調光器１は、商用交流電源４と副調光器２との間に設けられている。主調光器１は２線式の調光器であり、端子Ｔ１１，Ｔ１２を介し商用交流電源４および副調光器２のそれぞれと１本ずつ２本の電線で接続されている。主調光器１には、ＬＥＤ照明器３の調光をするための操作部１０１が設けられている。操作部１０１は、主調光器１内に設けられた可変抵抗に連動する回転ツマミである。主調光器１は、商用交流電源４から交流電力を受けた交流電力を操作部１０１の調光操作に応じて位相制御して位相制御交流電力を生成し、位相制御交流電力を出力する。
【００２０】
副調光器２は、主調光器１とＬＥＤ照明器３との間に設けられている。副調光器２は、いわゆる４線式の調光器であり、端子Ｔ２２，Ｔ２３を介して商用交流電源４および主調光器１のそれぞれと１本ずつ２本の電線で接続され、さらに、端子Ｔ２４，Ｔ２５を介しＬＥＤ照明器３と２本の電線で接続されている。副調光器２にも、主調光器１と同様に、ＬＥＤ照明器３の調光をするための操作部２０１が設けられている。操作部２０１は、副調光器２内に設けられた可変抵抗に連動する回転ツマミである。副調光器２は、主調光器１で位相制御された位相制御交流電力を受け、この位相制御交流電力を、操作部２０１の操作に応じた電圧の直流電圧に変換してＬＥＤ照明器３に供給する。
【００２１】
ＬＥＤ照明器３は、ＬＥＤ３１１を発光させることで照明を行う照明器である。ＬＥＤ照明器３は、例えば部屋の天井に設置され直下を照らすダウンライト型の照明器である。ＬＥＤ照明器３は、光源部３１および放熱部３２を備えている。光源部３１は、複数のＬＥＤ３１１からなるＬＥＤアレイを備えている。ＬＥＤ照明器３は、外部から直流電力の供給を受け、この直流電力によってＬＥＤ３１１を発光させる。放熱部３２は、ＬＥＤ３１１で生じる熱を外部に逃がすヒートシンクである。
【００２２】
本実施形態のＬＥＤ照明システムＳ１によれば、主調光器１および副調光器２による２重の調光が可能である。主調光器１および副調光器２は、例えばＬＥＤ照明器３が設置された部屋の壁に取り付けられている。主調光器１は、例えば部屋の入口付近に配置され、副調光器２は、部屋の中のＬＥＤ照明器３が照明する部分付近に配置されている。ＬＥＤ照明器３の明るさは、主調光器１および副調光器２の双方によって制御される。部屋の一部、例えばテーブルを照明するＬＥＤ照明器３について、テーブル付近の副調光器２でテーブルの明るさを設定しておき、時刻や環境の変化に応じて部屋全体の明るさを他の照明ともに主調光器１で調整することができる。
【００２３】
［主調光器の構成］
続いて、２重の調光を可能とする、主調光器１および副調光器２の回路構成および動作について説明する。
【００２４】
図２は、図１に示す主調光器１の回路図である。
【００２５】
図２に示す主調光器１は、主調光器１は、商用交流電源４の交流電力を位相制御して副調光器２に供給する調光器である。本実施形態の主調光器１は、交流正弦波波形のうち０Ｖをクロスしてから次に０Ｖをクロスするまで半周期のうちの後半部分の導通を制限するように位相制御を行う。また、操作に応じて、各半周期における、導通制限を開始するタイミングを変化させることにより、電力を制御する。
【００２６】
２つの端子Ｔ１１，Ｔ１２は副調光器２（図１参照）および商用交流電源４にそれぞれ接続される。図１において、商用交流電源４、主調光器１および副調光器２を一巡して結ぶ回路を主電流回路と称する。
【００２７】
主調光器１は、主電流スイッチング回路１１、およびこの主電流スイッチング回路１１の通電を制御する制御回路１２を備えている。主電流スイッチング回路１１は、２つのスイッチングトランジスタＱ１１，Ｑ１２（以降、単にトランジスタと称する。）が上記主電流回路に、互いに逆向きに直列接続された構成を有している。本実施形態におけるトランジスタＱ１１，Ｑ１２は、ＩＧＢＴ（Insulated Gate Bipolar Transistor）であり、コレクタ―エミッタ間に逆導通用のフライホイールダイオードＤ１１，Ｄ１２（以降、単にダイオードＤ１１，Ｄ１２と称する。）を内蔵している。トランジスタＱ１１，Ｑ１２の逆向きの接続によって、２つのフライホイールダイオードＤ１１，Ｄ１２も逆向きに接続されている。２つのトランジスタＱ１１，Ｑ１２共通の接続ノードを、主調光器１におけるＧＮＤノード（単にＧＮＤノード）と称する。なお、トランジスタＱ１１，Ｑ１２としては、ＩＧＢＴ以外に、例えばダイオードを内蔵したＭＯＳＦＥＴ（Metal-Oxide Semiconductor Field Effect Transistor）も採用可能である。
【００２８】
主電流スイッチング回路１１では、トランジスタＱ１１のゲートに所定の電荷が蓄えられた状態で、端子Ｔ１１に繋がるコレクタに交流波形の正側電圧が加わると、コレクタ−エミッタ間がオン状態となり、トランジスタＱ１１とは逆向きに接続されたトランジスタＱ１２のダイオードＤ１２を通じて電流が流れる。この電流は、トランジスタＱ１１のゲート電位によって制御される。電流が流れている間にトランジスタＱ１１のゲート電荷が放電された場合には、トランジスタＱ１１がオフ状態となり通電が停止する。トランジスタＱ１１とは逆向きに接続されたトランジスタＱ１２についても、同様の動作が実行される。すなわち、トランジスタＱ１２のゲートに所定の電荷が蓄えられた状態で、端子Ｔ１２に繋がるコレクタに交流波形の正側電圧（トランジスタＱ１１から見た場合、逆極性となる負側電圧）が加わると、コレクタ−エミッタ間がオン状態となり、トランジスタＱ１１のダイオードＤ１１を通じて電流が流れる。この電流は、トランジスタＱ１２のゲート電位によって制御される。電流が流れている間に、トランジスタＱ１２のゲート電荷が放電された場合には、トランジスタＱ１２がオフ状態となり通電が停止する。
【００２９】
ここで、交流波形で繰り返される山谷の期間（半周期）のうち、端子Ｔ１１すなわちトランジスタＱ１１のコレクタに交流波形の正側電圧が加わる期間を正位相期間と称し、負側電圧が加わる期間（端子Ｔ１２すなわちトランジスタＱ１２のコレクタに正側電圧が加わる期間）を、正位相期間とは逆の負位相期間と称する。また、図２に示す回路図において、ＧＮＤノードよりも上側を便宜的に正動作側と称し、下側を負動作側と称する。主電流スイッチング回路１１の動作を言い換えると、正動作側のトランジスタＱ１１は、交流の正位相期間においてゲート電位に応じた通電制御を行い、負動作側のトランジスタＱ１２は、負位相期間においてゲート電位に応じた通電制御を行う。
【００３０】
制御回路１２は、トランジスタＱ１１，Ｑ１２のゲートに対する電荷の供給・放電を制御することにより、主電流スイッチング回路１１での位相制御を実現する回路である。より詳細には、上述したトランジスタＱ１１，Ｑ１２に、正と負が交互に繰り返す交流電圧が加わった状態で、制御回路１２は、トランジスタＱ１１，Ｑ１２のうち、位相期間のそれぞれ（例えば正位相期間）において、当該位相期間の電流をゲート電位によって通電制御可能な一方のトランジスタ（例えばＱ１１）とは逆位相側のトランジスタ（Ｑ１２）のゲートを充電するとともに、この位相期間（正位相期間）の所定のオフタイミングで上記一方のトランジスタ（Ｑ１１）のゲートを放電させる。
【００３１】
制御回路１２は、主電流オフ制御回路１２１、ゲート電荷充電回路１２２、ゲート電荷放電回路１２３、および放電タイミング設定回路１２４を備えている。主電流オフ制御回路１２１、ゲート電荷充電回路１２２、ゲート電荷放電回路１２３、および上述した主電流スイッチング回路１１は、ＧＮＤノードを基準として対称の回路構造を有している。
【００３２】
主電流オフ制御回路１２１は、主電流スイッチング回路１１を流れる主電流をオフ制御する回路である。主電流オフ制御回路１２１は、ＮＰＮ型スイッチングトランジスタＴｒ１１とトランジスタＴｒ１１のコレクタとトランジスタＱ１１のゲート間に接続される抵抗Ｒ１２とからなる正動作側オフ制御回路と、ＮＰＮ型スイッチングトランジスタＴｒ１２とトランジスタＴｒ１２のコレクタとトランジスタＱ１２のゲート間に接続される抵抗Ｒ１３とからなる負動作側オフ制御回路を有する。正動作側オフ制御回路のトランジスタＴｒ１１がオンすると、正動作側におけるトランジスタＱ１１のゲートの電荷は抵抗Ｒ１２を介して放電し、主電流スイッチング回路１１の通電が停止する。また、負動作側オフ制御回路のトランジスタＴｒ１２がオンすると、負動作側におけるトランジスタＱ１２のゲートの電荷は抵抗Ｒ１３を介して放電し、主電流スイッチング回路１１の通電が停止する。
【００３３】
ゲート電荷充電回路１２２は、ある位相期間における主電流を逆位相側のスイッチング素子のゲートに通電し電荷を充電する回路である。ゲート電荷充電回路１２２は、主電流のオフ時に逆位相側のスイッチング素子のゲートに通電する。
【００３４】
ゲート電荷充電回路１２２は、副調光器２および商用交流電源４（図１参照）を通じて流れる主電流の一部をトランジスタＱ１２のゲートに通電するための抵抗Ｒ１１、整流用ダイオードＤ１３、抵抗Ｒ１３からなる負側トランジスタ充電回路と、主電流の一部をトランジスタＱ１１のゲートに通電するための抵抗Ｒ１４、整流用ダイオードＤ１４、抵抗Ｒ１２からなる正側トランジスタ充電回路とから構成される。
【００３５】
負側トランジスタ充電回路は、放電タイミング設定回路１２４で設定された調光のタイミングでトランジスタＱ１１に通電する主電流がオフされた時、逆位相側のトランジスタＱ１２のゲートに主電流の一部を通電し、トランジスタＱ１２の規定値電圧まで電荷を充電する。正側トランジスタ充電回路は、トランジスタＱ１２がオフされた時に逆位相側のトランジスタＱ１１のゲートにその規定値電圧まで電荷を充電する。
【００３６】
ゲート電荷放電回路１２３は、トランジスタＱ１１，Ｑ１２のゲート電荷を所定のタイミングで放電する回路である。ゲート電荷放電回路１２３は、整流ダイオードＤ１５、ＮＰＮ型スイッチングトランジスタＴｒ１３，Ｔｒ１４、抵抗Ｒ１５，Ｒ１６，Ｒ１７からなる正側放電回路と、整流ダイオードＤ１６、ＮＰＮ型スイッチングトランジスタＴｒ１５，Ｔｒ１６、抵抗Ｒ１８，Ｒ１９，Ｒ１１０とからなる負側放電回路とから構成される。
【００３７】
正側放電回路では、トランジスタＴｒ１３のエミッタとトランジスタＴｒ１４のコレクタとが接続され、トランジスタＴｒ１４のエミッタはトランジスタＴｒ１１のベースに接続されている。負側放電回路では、トランジスタＴｒ１６のエミッタとトランジスタＴｒ１５のコレクタとが接続され、トランジスタＴｒ１５のエミッタはトランジスタＴｒ１２のベースに接続されている。ゲート電荷放電回路１２３は、トランジスタＴｒ１４，Ｔｒ１５のベースに放電タイミング設定回路１２４から供給される放電タイミング信号Ｓｔの電位を、ゲート電荷充電回路１２２に供給する。
【００３８】
放電タイミング設定回路１２４は、スイッチング素子のゲート電荷を放電するタイミングを決定する回路である。放電タイミング設定回路１２４は、交流電圧がゲート電荷放電回路１２３内の整流ダイオードＤ１５，Ｄ１６によって整流された脈流の供給を受けて動作する、プログラマブルユニジャンクション回路（ゲート電荷を放電するタイミングをプログラマブルに設定できる回路）である。
【００３９】
放電タイミング設定回路１２４は、ＮＰＮ型スイッチングトランジスタＴｒ１７、ＰＮＰ型スイッチングトランジスタＴｒ１８、抵抗Ｒ１１１，Ｒ１１２，Ｒ１１３，Ｒ１１４，Ｒ１１５、調光用の可変抵抗ＶＲ１１、コンデンサＣ１１，Ｃ１２、および整流ダイオードＤ１７，Ｄ１８を有する。
【００４０】
放電タイミング設定回路１２４において、トランジスタＴｒ１８のコレクタとトランジスタＴｒ１７のベースとが接続されている。放電タイミング設定回路１２４は、トランジスタＴｒ１８のエミッタ電圧とベース電圧を常時比較し、エミッタ電圧よりもベース電圧が低くなったタイミングでコレクタ電流が流れるように設定されている。トランジスタＴｒ１８，Ｔｒ１７は共にオンすることにより、抵抗Ｒ１１３に電流を流し、ゲート電荷放電回路１２３に放電タイミング信号Ｓｔを出力する。トランジスタＴｒ１７のエミッタは、ゲート電荷放電回路１２３のトランジスタＴｒ１４のベースとトランジスタＴｒ１５のベースに接続されている。
【００４１】
トランジスタＴｒ１８のエミッタ電圧はコンデンサＣ１２の電圧であり、トランジスタＴｒ１８のベース電圧はコンデンサＣ１１の電圧である。つまり、放電タイミング設定回路１２４は、コンデンサＣ１２の電圧よりもコンデンサＣ１１の電圧が低くなったタイミングで放電タイミング信号Ｓｔを出力する。コンデンサＣ１１，Ｃ１２は、交流の正位相期間および負位相期間の双方で、すなわち、交流の半周期ごとで、充電放電を繰り返す。コンデンサＣ１１の電荷は、可変抵抗ＶＲ１１を介して放電する。この可変抵抗ＶＲ１１は、図１に示す操作部１０１に連動している。なお、ダイオードＤ１７は、コンデンサＣ１２に充電された電荷が放電することを防止するために設けられ、ダイオードＤ１８は、トランジスタＴｒ１８のエミッタ−ベース逆電圧保護のために設けられている。
【００４２】
ゲート電荷放電回路１２３の動作について説明する。放電タイミング設定回路１２４のトランジスタＴｒ１７がオンすると、トランジスタＴｒ１７からの電流は、抵抗Ｒ１１３の他にゲート電荷放電回路１２３のトランジスタＴｒ１４とトランジスタＴｒ１５の双方のベースに同時に流れる。すなわち、トランジスタＴｒ１４及びＴｒ１５のベースに放電タイミング信号Ｓｔ信号が入る。
【００４３】
交流電源の正位相期間すなわち端子Ｔ１１の交流波形が正で、正動作側のトランジスタＱ１１のコレクタ−エミッタ間がオン状態の場合、そのコレクタ・エミッタ間電圧（順方向電圧：約０．７Ｖ）は、抵抗Ｒ１５，Ｒ１６で分割され、トランジスタＴｒ１３のベース電圧となる。また、トランジスタＴｒ１３のコレクタには、放電タイミング設定回路１２４のコンデンサＣ１１に充電された電圧が掛かっている。このとき、トランジスタＴｒ１４のベースにゲート電荷放電回路１２３から放電タイミング信号Ｓｔが供給されると、トランジスタＴｒ１３、Ｔｒ１４が共にオンする。トランジスタＴｒ１３、Ｔｒ１４が共にオンすると、トランジスＴｒ１１のベースに電流が流れ、トランジスＴｒ１１がオンし、トランジスタＱ１１のゲート電荷が抵抗Ｒ１２を介して放電される。この結果、トランジスタＱ１１はオフされる。
【００４４】
放電タイミング信号Ｓｔは、トランジスタＴｒ１４のベースとともに、トランジスタＴｒ１５のベースにも入る。しかし、正位相期間すなわち端子Ｔ１１の交流波形が正のときは、負動作側に供給される端子Ｔ１２の交流波形は負であるため、負動作側において、トランジスタＴｒ１５のベースに信号が入ったとしてもトランジスタＴｒ１５，Ｔｒ１６がオンすることはない。以上のように、トランジスタＴｒ１７からの放電タイミング信号Ｓｔは、正動作側のトランジスタＴｒ１４および負動作側のトランジスタＴｒ１５双方に供給されるが、この時点で通電制御が可能な側のトランジスタＱ１１またはトランジスタＱ１２の一方のゲート電荷のみを放電させることができる。即ち、ゲート電荷放電回路１２３は、端子Ｔ１１，Ｔ１２の正負の判定を行う正負判定回路としても動作する。
【００４５】
図３は、図２に示す主調光器１の各部の電位波形および電流波形を示すグラフである。図３のパート（Ａ）は端子Ｔ１１、バート（Ｂ）はコンデンサＣ１２、パート（Ｃ）はコンデンサＣ１１における各電位である。また、パート（Ｄ）は放電タイミング信号Ｓｔであり、パート（Ｅ）は、主電流スイッチング回路１１および負荷に流れる電流を示す。なお、図３では、回路動作の分かり易さのため、９０°の位相制御が行われた場合で、負荷が順抵抗である場合の波形が示されている。
【００４６】
［主調光器の動作］
主調光器１の動作について、図２および図３を参照して説明する。まず、商用交流電源４（図１参照）からの交流における正位相期間の動作、すなわち端子Ｔ１１が正の期間の動作を、その直前の負位相期間であるタイミングｔ１の状態から説明する。
【００４７】
図３に示す負位相期間のタイミングｔ１では、端子Ｔ１２、すなわち主電流スイッチング回路１１における負動作側のトランジスタＱ１２のコレクタに正側電圧がかかっている。ただし、タイミングｔ１では、トランジスタＱ１２はオフ状態であり、主電流スイッチング回路１１および負荷となる副調光器２（図１参照）における主電流Ｉの導通は停止している（図３のパート（Ｅ））。この時、トランジスタＱ１２のコレクタ―エミッタ間には、商用交流電源４から供給される電圧とほぼ等しい電圧が掛かっている。トランジスタＱ１２のコレクタの電位は、抵抗Ｒ１４、ダイオードＤ１６を介して放電タイミング設定回路１２４の内部電源ノードであるノードＮ１１に導かれる。ノードＮ１１の電位は、ダイオードＤ１７および抵抗Ｒ１１４を介してコンデンサＣ１２を充電する（図３のパート（Ｂ））。また、ノードＮ１１の電位は、抵抗Ｒ１１２を介してコンデンサＣ１１を充電する（図３のパート（Ｃ））。
【００４８】
また、トランジスタＱ１２のコレクタの電位は、ゲート電荷充電回路１２２の抵抗Ｒ１４、ダイオードＤ１４および抵抗Ｒ１２を介して、タイミングｔ１の負位相期間とは逆の正位相期間における電流を制御する正動作側のトランジスタＱ１１のゲートを充電する。このよう、主電流スイッチング回路１１のトランジスタＱ１１のゲートは、ゲート電荷充電回路１２２によって、トランジスタＱ１１が制御する位相とは逆位相の電位で充電がなされる。
【００４９】
この後、商用交流電源４（図１参照）から供給される交流の状態が正位相期間に移ったタイミングｔ２では、主電流スイッチング回路１１における正動作側のトランジスタＱ１１のコレクタに正側電圧がかる。この直前の負位相期間でトランジスタＱ１１のゲートは規定値電圧で充電されているため、トランジスタＱ１１のコレクタ−エミッタ間がオン状態となる。したがって、電流は、トランジスタＱ１１のコレクタ−エミッタから、トランジスタＱ１２内蔵のダイオードＤ１２を通じて流れる（図３のパート（Ｅ））。つまり、主電流回路に通電する。
【００５０】
このとき、放電タイミング設定回路１２４のノードＮ１１に対しては、負動作側のトランジスタＱ１２に代わって、正動作側のトランジスタＱ１１のコレクタから、抵抗Ｒ１１およびダイオードＤ１５を介して電源が供給される。しかし、正動作側のトランジスタＱ１１はオン状態であるため、コレクタ−エミッタ間の電圧は順方向電圧（約０．７Ｖ）に留まる。このため、放電タイミング設定回路１２４のコンデンサＣ１１，Ｃ１２は放電し、電位は低下する（図３のパート（Ｂ），（Ｃ））。２つのコンデンサＣ１１，Ｃ１２について、充電電位は、分圧抵抗の設定によりコンデンサＣ１１の方が高いが、放電の時定数は、コンデンサＣ１１の方が短く設定されている。
【００５１】
放電に伴い、コンデンサＣ１１の電位（図３のパート（Ｃ））がコンデンサＣ１２の電位（図３のパート（Ｂ））を下回る。コンデンサＣ１１の電位がコンデンサＣ１２の電位より低くなると、トランジスタＴｒ１８そしてトランジスタＴｒ１７がオン状態となり、放電タイミング信号Ｓｔが出力される。つまり、交流の状態が正位相期間に移った後、コンデンサＣ１１、抵抗Ｒ１１２，Ｒ１１１および可変抵抗ＶＲ１１の時定数に応じたタイミングで、放電タイミング信号Ｓｔが出力される（図３のパート（Ｄ））。ここで、操作に応じて可変抵抗ＶＲ１１の抵抗値が小さくなるほど、放電タイミング信号Ｓｔの出力タイミングが早まる。
【００５２】
ゲート電荷放電回路１２３の正動作側のトランジスタＴｒ１４は、放電タイミング信号Ｓｔを、主電流オフ制御回路１２１の正動作側のトランジスタＴｒ１１のゲートに供給する。これによって、主電流スイッチング回路１１の正動作側のトランジスタＴｒ１１のゲート電位が放電され、トランジスタＴｒ１１がオン状態からオフ状態に移る。
【００５３】
トランジスタＴｒ１１がオフ状態となったタイミングｔ３では、主電流スイッチング回路１１および負荷となる副調光器３（図１参照）における主電流の導通が停止する。この時、トランジスタＱ１１のコレクタ―エミッタ間には、商用交流電源４から供給される電圧とほぼ等しい電圧が掛かる。したがって、今度は、トランジスタＱ１１のコレクタの電位が、抵抗Ｒ１１、ダイオードＤ１５を介して放電タイミング設定回路１２４のノードＮ１１に導かれる。そして再び、コンデンサＣ１２，Ｃ１１が充電される（図３のパート（Ｂ）（Ｃ））。
【００５４】
また、トランジスタＱ１１のコレクタの電位は、ゲート電荷充電回路１２２の抵抗Ｒ１１、ダイオードＤ１３および抵抗Ｒ１３を介して、現在の正位相期間とは逆の負位相期間における電流を制御する、負動作側のトランジスタＱ１２のゲートを充電する。
【００５５】
この後、商用交流電源４（図１参照）から供給される交流の状態が負位相期間に移ると、上述の動作が極性を変えて繰り返される。
【００５６】
このようにして、商用交流電源４（図１参照）から供給される交流電力が位相制御される。また、可変抵抗ＶＲ１１の操作に応じて、交流の極性が変化した後の放電タイミング信号Ｓｔが出力されるタイミングが変化し、トランジスタＱ１１，Ｑ１２がオン状態となる期間、つまり位相制御のタイミングが制御される。このようにして、照明器３の明るさが制御される。
【００５７】
本実施形態の主調光器１は、交流波形の半周期分である正位相期間および負位相期間それぞれのうち、後半部分の導通を制限するように位相制御を行う。このため、例えば、期間の前半部分の導通を制限した後、急峻な立ち上がりで通電を行うトライアック型の位相制御と比べて、高周波ノイズや可聴領域のノイズが低減されるため、大型のチョークコイルやローパスフィルタといったノイズ対策のための大きな部品が不要である。また、急激な突入電流に対する対策が不要である。また、本実施形態の主調光器１は、例えばトライアックの位相制御の場合に必要な、オン状態を維持するための保持電流は不要である。したがって、ＬＥＤといった順抵抗でない負荷を駆動する際にも、照明に供しない電流を流す回路が不要であり、全体の電力効率が向上する。
【００５８】
［副調光器の構成］
図４は、図１に示す副調光器２の回路図である。図４には、副調光器２に接続されたＬＥＤ照明器３のＬＥＤ３１１も示されている。
【００５９】
副調光器２は、主調光器１で位相制御された位相制御交流電力を、ＬＥＤ３１１に供給する直流電力に変換するＡＣ−ＤＣ変換器として機能する。副調光器２は、整流平滑回路２Ｊおよびチョッパ型電源回路２Ｋを備えている。整流平滑回路２Ｊは、位相制御交流電力を、整流および平滑化する回路である。整流平滑回路２Ｊは、全波整流回路２１と、力率改善分電圧平滑部２２と、ノイズフィルタ部２９とを備えている。チョッパ型電源回路２Ｋは、整流平滑回路２Ｊで平滑化された電力を、調光の操作に応じた直流電力に変換する回路である。チョッパ型電源回路２Ｋは、直流電源生成部２３と、ＰＷＭ制御部２４と、バッファ部２６と、フローティング降圧部２８とを備えている。
【００６０】
全波整流回路２１は、ブリッジダイオードＤＢ２１からなり、交流電圧を全波整流する。全波整流回路２１で交流を整流すると、負位相期間の電圧が反転した脈流波形が得られる。ただし、交流電力は主調光器１で位相制御されたものであり、整流された脈流には、位相制御に応じた０Ｖの期間が存在することとなる。
【００６１】
力率改善分電圧平滑部２２は、ダイオードＤ２１，Ｄ２２，Ｄ２３，Ｄ２４、コンデンサＣ２２，Ｃ２３，Ｃ２４を有する平滑回路である。全波整流回路２１の、ノイズフィルタ部２９およびダイオードＤ２１を経た正極出力ノードＮ２１と負極出力ノードＮ２２との間には、コンデンサＣ２２、ダイオードＤ２３、およびコンデンサＣ２３が順に直列接続されている。ダイオードＤ２３は、正極出力ノードＮ２１および負極出力ノードＮ２２に対し順方向（順バイアス）となる向きに接続されている。正極出力ノードＮ２１側のコンデンサＣ２２およびダイオードＤ２３の接続ノードと、負極出力ノードＮ２２との間には、ダイオードＤ２２が接続されている。また、負極出力ノードＮ２２のコンデンサＣ２３およびダイオードＤ２３の接続ノードと、正極出力ノードＮ２１との間には、ダイオードＤ２４が接続されている。ダイオードＤ２２，Ｄ２４は逆方向となる向きに配置されている。コンデンサＣ２４は、正極出力ノードＮ２１と負極出力ノードＮ２２との間に接続されている。ダイオードＤ２２〜Ｄ２４は、全波整流回路２１から出力される電位差に応じて、２つのコンデンサＣ２２，Ｃ２３の接続状態を半導体素子により切り換える切換部２Ｓを構成する。
【００６２】
２つのコンデンサＣ２２，Ｃ２３、および半導体により切り換える切換部２Ｓの動作を説明する。なお、ダイオードの順方向電圧は出力電圧に比べて小さいため、分かり易さのため無視して説明する。
【００６３】
全波整流回路２１から正極出力ノードＮ２１に正の電圧が出力されると、２つのコンデンサＣ２２，Ｃ２３は、半導体素子による切換部２Ｓの順方向に配置されたダイオードＤ２３を介して直列接続された状態となる。直列に接続された２つのコンデンサＣ２２，Ｃ２３は、全波整流回路２１からの電圧に基づいて充電される。すなわちコンデンサＣ２２，Ｃ２３のそれぞれは、全波整流回路２１からの電圧の約半分の電圧に基づいて充電される。全波整流回路２１からの電圧が低下して、２つのコンデンサＣ２２，Ｃ２３の両端の電圧よりも低下した場合、ダイオードＤ２３による導通が遮断される。したがって、充電と同じ経路では放電は行われない。全波整流回路２１からの電圧の低下がさらに進み、コンデンサＣ２２，Ｃ２３のそれぞれの電圧、すなわち、充電時における全波整流回路２１からの電圧の約半分の電圧よりも低下すると、コンデンサＣ２２はダイオードＤ２２を介して放電を行う。また、他方のコンデンサＣ２３もダイオードＤ２４を介して放電を行う。このとき、コンデンサＣ２２、Ｃ２３は、半導体素子による切換部２ＳのダイオードＤ２２〜Ｄ２４によって、出力ノードＮ２１，Ｎ２２に対し並列接続された状態となっている。このようにして、半導体素子による切換部２Ｓは、２つのコンデンサＣ２２，Ｃ２３の接続状態を、電源の電圧が相対的に高い状態では直列接続とし、電圧が低い状態では並列接続に切り換えている。このため、力率改善分電圧平滑部２２は、脈流の電源電圧に対し、最大電圧に至るまで充電を行う一方、電圧が最大電圧より低い所定の電圧よりも低下してから放電を開始する。また、放電時には、コンデンサＣ２２，Ｃ２３の合成容量が並列接続によって２倍に増加するため、所定の電圧よりも低い領域での低下が抑えられ、力率が向上する。具体的には、全波整流された電圧の波形の谷部分が０Ｖまで低下することが避けられる。
【００６４】
直流電源生成部２３は、副調光器２の各部の動作のための内部電源である。直流電源生成部２３は、直流電圧（ＤＣ）１５Ｖ用としてツェナーダイオードＺＤ２１、抵抗Ｒ２２、コンデンサＣ２５からなる回路と、ＤＣ５Ｖ用としてツェナーダイオードＺＤ２２、抵抗Ｒ２３、コンデンサＣ２６からなる回路を備える。ＤＣ１５Ｖは、フローティング降圧部２８のＭＯＳＦＥＴ  Ｑ２４のゲート制御電源となり、ＤＣ５ＶはロジックＩＣの電源となる。
【００６５】
ＰＷＭ制御部２４は、ＭＯＳＦＥＴ Ｑ２４のゲートＧの動作をＰＷＭ（パルス幅変調Pulse Width Modulation）で制御するロジックＩＣ Ｉ１，Ｉ２，Ｉ３（インバーター）を備えるものである。直流電源生成部２３から出力される電圧を所定のデューティ比でパルス幅変調したパルス信号をフローティング降圧部２８のＭＯＳＦＥＴ Ｑ２４に送り、ＭＯＳＦＥＴ Ｑ２４を制御する。ロジックＩＣ、Ｉ１の出力電圧は、抵抗Ｒ２７を通り、バッファ部２６のトランジスタ Ｑ２１を介して、ＭＯＳＦＥＴ Ｑ２４のゲートＧに送られ、ＭＯＳＦＥＴ Ｑ２４をオンオフする。可変抵抗ＶＲ２１は、操作部２０１（図２参照）に連動しており、ロジックＩＣ  Ｉ３のパルス信号によるコンデンサＣ２７のチャージにおいて、ハイレベルとローレベルとにおけるチャージの比率を変更することにより、ＰＷＭ制御部２４が出力するパルス信号のデューティ比を決定する。これによって、副調光器２が出力する直流電圧を調整する。つまり、操作に応じて、ＬＥＤ照明器３に供給する直流電力の電圧値を制御し、ＬＥＤ照明器３の調光を行う。本実施形態の副調光器２における制御はフィードフォワード型であり、出力電圧や電流に応じたパルス信号のフィードバック制御は行わない。
【００６６】
バッファ部２６は、トランジスタＱ２２（ｎｐｎ型トランジスタ）と、トランジスタＱ２３（ｐｎｐ型トランジスタ）と抵抗Ｒ２９からなり、ＭＯＳＦＥＴ Ｑ２４のゲートＧへの入力インピーダンスを低くするものである。なお、図３において、トランジスタＱ２２とＱ２３はそれぞれのベース同士が接続され、共通エミッタがＭＯＳＦＥＴ Ｑ２４のゲートＧに接続されている。
【００６７】
また、バッファ部２６は、電圧変換部を有する。電圧変換部は、トランジスタＱ２１と抵抗Ｒ２７、Ｒ２８とからなり、電圧を５Ｖから１５Ｖに昇圧させるものである。ロジックＩＣによるＰＷＭ制御部２４の出力電圧は５Ｖであり、その５Ｖの電圧でＭＯＳＦＥＴ Ｑ２４のゲートＧを制御するとスイッチング損失が大きいため、バッファ部２６の電圧変換部を用いて電圧変換し１５Ｖにする。
【００６８】
フローティング降圧部２８は、ＭＯＳＦＥＴ Ｑ２４と抵抗Ｒ２１０，Ｒ２１１からなり、ＰＷＭ制御部２４で決められたデューティ比のパルス幅でＭＯＳＦＥＴ Ｑ２４をオンオフすることにより、出力電圧を制御する。すなわち、ＰＷＭ制御部２４により設定したパルス幅にスライス（オンオフの時間を調整）して出力電圧を降下させ、ＬＥＤ３１１に供給される電圧を生成する。なお、抵抗Ｒ２１０は回路の安定を図るため、また抵抗Ｒ２１１はノイズ対策を目的として設けられている。
【００６９】
フローティング降圧部２８には、ダイオードＤ３７と、コンデンサＣ２９と、コイルＬ２２も備えられている。ＭＯＳＦＥＴ Ｑ２４およびコイルＬ２２は、全波整流回路２１（および力率改善分電圧平滑部２２）の出力に対し直列に接続されている。ＬＥＤ３１１は実質的にコンデンサＣ２９と並列に接続されている。
【００７０】
ノイズフィルタ部２９は、コンデンサＣ２１とコイルＬ２１からなり、フローティング降圧部２８のＭＯＳＦＥＴ Ｑ２４のスイッチングにより発生するノイズを外部に流出させないことができる。
【００７１】
副調光器２の動作を説明する。交流電圧が副調光器２に入力されると、全波整流回路２１、力率改善分電圧平滑部２２を介して、脈流の直流電圧が生成される。また、ＰＷＭ制御部２４では、調光操作に応じたデューティのスイッチングパルス信号が生成され、バッファ部２６で昇圧および電流増幅される。フローティング降圧部２８のＭＯＳＦＥＴ Ｑ２４は、ＰＷＭ制御部２４で増幅されたスイッチングパルス信号に応じて、オンオフが制御される。
【００７２】
ＭＯＳＦＥＴ Ｑ２４がオンした時、電流が力率改善分電圧平滑部２２からフローティング降圧部２８のコイルＬ２２を通り、ＭＯＳＦＥＴ Ｑ２４に流れる。このときコイルＬ２２にエネルギーが蓄えられる。一方、ＭＯＳＦＥＴ Ｑ２４がオフした時には、コイルＬ２２に蓄えられたエネルギーがキックバック電圧（逆起電力）となり、ダイオードＤ３７を介して平滑コンデンサＣ２９が充電される。平滑コンデンサＣ２９により平滑化された直流電圧が、副調光器２から導線を介して出力される。
【００７３】
ここで、ＭＯＳＦＥＴ Ｑ２４のオン時間が長いほど、コイルＬ２２に蓄えられるエネルギーが増大し、副調光器２から出力される直流電力の電圧が高く、ＭＯＳＦＥＴ Ｑ２４のオフ時間が短いと、出力される直流電力の電圧が低い。ＭＯＳＦＥＴ Ｑ２４のオンオフのタイミングを制御するＰＷＭ制御部２４の出力信号（スイッチング信号）のデューティは、操作部２０１（図２参照）に連動した可変抵抗Ｒ２１によって制御される。したがって、操作に応じて副調光器２から出力される直流電力の電圧値が制御され、ＬＥＤ照明器３におけるＬＥＤ３１１の発光輝度が制御される。
【００７４】
本実施形態の副調光器２では、バッファ部２６におけるｎｐｎ型トランジスタＱ２２とｐｎｐ型トランジスタＱ２３のゲートに、ゲート電荷制御手段としてのコンデンサＣ２８が並列に接続されている。これによって、ＭＯＳＦＥＴ Ｑ２４のゲートＧに入力される電圧の立ち上がり波形が緩やかに立ち上がるようにしている。このため、ＭＯＳＦＥＴ Ｑ２４のドレイン電圧、すなわちコイルＬ２２におけるＭＯＳＦＥＴ Ｑ２４側の端の電圧の立下りを緩やかにすることができ、特に出力電圧が低い状態でもＬＥＤ３１１のちらつきが抑えられる。
【００７５】
本実施形態の副調光器２は、２つのコンデンサＣ２２，Ｃ２３の接続状態を位相制御交流電力の電圧に応じて切り替えながら平滑化する整流平滑回路２Ｊを備えているため、位相制御された交流電力から揺らぎを抑えた直流電力を出力することができる。したがって、主調光器での調光操作に応じた位相制御による調光と、副調光器での調光操作に応じたチョッパ型電源による２重の調光が可能となる。
【００７６】
また、本実施形態の照明システムＳ１において、ＬＥＤ照明器３には電源回路が設けられておらず、ＬＥＤ照明器３は副調光器２から電圧が調整された直流電力を受けるため、例えば交流駆動のＬＥＤ照明器を位相制御交流で直接駆動する場合のような調光回路との「相性の問題」が生じない。つまり、ＬＥＤ照明器３は、直流の電圧と電流の仕様が副調光器２と適合するものであれば、様々なデザインやメーカから選択して交換することが可能である。
【００７７】
［第２実施形態］
次に、本発明の第２実施形態について説明する。以下の第２実施形態の説明にあたっては、これまで説明してきた実施形態における各要素と同一の要素には同一の符号を付けて示し、前述の実施形態との相違点について説明する。
【００７８】
図５は、ＬＥＤ照明システムの第２実施形態を説明する図である。図５には、ＬＥＤ照明システムＳ２を住宅の部屋に設置した例が示されている。
【００７９】
ＬＥＤ照明システムＳ２は、１つの主調光器１、２つの副調光器２ａ，２ｂ、および６つのＬＥＤ照明器３ａ，３ｂを備えている。副調光器２ａ，２ｂは、主調光器１に対し並列に接続されており、共に主調光器１で位相制御された位相制御交流電力を受ける。６つのＬＥＤ照明器３ａ，３ｂのうち、３つのＬＥＤ照明器３ａは、天井に配置され窓付近を照明するダウンライトであり、窓付近の壁に配置された副調光器２ａに対し並列に接続されている。残りの３つのＬＥＤ照明器３ｂは、部屋の天井に配置され部屋中央のカウンター部分を照明するダウンライトであり、カウンターの壁に配置された副調光器２ｂに対し並列に接続されている。主調光器１および副調光器２ａ，２ｂの構成は、上述した第１実施形態のＬＥＤ照明システムＳ１のものと同じである。
【００８０】
ＬＥＤ照明システムＳ２では、部屋の中の各場所ごとの明るさの配分については副調光器２ａ、２ｂによって設定しておくとともに、部屋全体の明るさについては主調光器１で一括して調整することが可能となる。例えば、窓付近の明るさは、窓付近の副調光器２ａで調整し、カウンターの明るさはカウンター付近に配置された副調光器２ｂで調整する。そして、カウンターの明るさと窓付近の明るさの比を維持しながら、部屋全体の明るさをドア付近に配置された主調光器１で調整することができる。
【００８１】
［第３実施形態］
図６は、第３実施形態における主調光器および副調光器の配置を示す正面図である。
【００８２】
図６に示す主調光器１および２つの副調光器２ａ，２ｂは、例えば壁内に埋め込まれた住宅配線用の埋込ボックス５１内に配置されている。より具体的には、主調光器１および副調光器２ａ，２ｂのそれぞれは、配線器具取付枠５２に取り付けられており、配線器具取付枠５２は埋込ボックス５１に取り付けられている。図６に示す埋込ボックス５１は３連接配線器具であり、３つの配線器具取付枠５２を介して、３つの調光器が並べて収納可能である。なお、図６には、埋込ボックス５１の表面のカバーを取り外され、各配線器具取付枠５２の中央部分に設けられた角穴から、主調光器１および副調光器２ａ，２ｂの一部が露出した状態が示されている。ここで、埋込ボックス５１が本発明にいう配線ボックスの一例に相当する。
【００８３】
配線器具取付枠５２に設けられた取付穴５２ｈを貫通する図示しないねじが埋込ボックス５１にねじ係合することで、配線器具取付枠５２が埋込ボックス５１にねじ固定される。配線器具取付枠５２は金属製であり、日本工業規格（ＪＩＳ規格）によって規格化されたものである。より詳細には、配線器具取付枠５２は、ＪＩＳ  Ｃ  ８３７５（大角形連用配線器具の取付枠）で規格化されている。副調光器２は、この配線器具取付枠５２に取り付けられる形状・寸法を有している。なお、主調光器１および副調光器２のそれぞれの外観形状は、第１〜第３実施形態に共通であり、埋込ボックスに単体でも収納可能である。
【００８４】
主調光器１および副調光器２ａ，２ｂは、規格化された配線器具取付枠に取り付けられるため、住宅等で一般に用いられる壁埋込型スイッチを設置するのと同じ作業によって副調光器２が設置できる。
【００８５】
本実施形態における主調光器および副調光器の配置によれば、各部の明るさの比の設定と、部屋全体の明るさの設定が一括操作できる。なお、主調光および副調光を一括操作するものとしては、例えば劇場の照明を専用の制御装置（調整卓）で制御する劇場用照明システムが考えられる。しかし、劇場用照明システムの調整卓は、主調光の操作および副調光の操作を検知して総合的に演算することで各照明の明るさの情報を求め、照明器に、演算結果の情報を電源とは別に供給する構成となっており、主調光の操作部と、副調光の操作部と、演算を行う演算部とが一体となった劇場用照明システム専用の装置が必要であり、また、照明器との接続配線が複雑である。上述した実施形態のＬＥＤ照明システムＳ１，Ｓ２では、主調光器１、副調光器２のそれぞれが、エネルギーを調整した電力を次段に供給する構成となっているため、それぞれの接続が電力線のみで足りる。また、操作を総合的に演算する装置も不要であり、装置の一体化も不要である。
【００８６】
［第４実施形態］
上述した実施形態には、本発明にいう主調光器の例として、２線式の調光器が示されている。ただし、主調光器は、２線式に限られるものではない。
【００８７】
図７は、第４実施形態のＬＥＤ照明システムを示す構成図である。
【００８８】
図７に示すＬＥＤ照明システムＳ４は、主調光器５が４線式の調光器であり、商用交流電源４と２本の電線で接続され、副調光器２とは別の２本の電線で接続されている。副調光器２は、商用交流電源４とは接続されず、電源として主調光器５のみと接続されている。
【００８９】
以上に説明した実施形態には、本発明にいう主調光器の例として、交流の半周期のうちの後半部分の導通を制限するように位相制御を行う主調光器１が示されている。ただし、本発明はこれに限られるものではなく、例えば、トライアックによって、交流の半周期のうちの前半部分の導通を制限するであってもよい。ただし、後半部分の導通を制限する主調光器１によれば、ノイズが低減され突入電流も抑えられ、また保持電流も不要である。
【００９０】
なお、上述した実施形態には、本発明にいう主調光器の例として、コンデンサの放電時間に基づいて放電タイミング信号を出力する制御回路１２を備えた主調光器１が示されている。ただし、本発明はこれに限られるものではなく、例えば、制御部は、論理回路やマイクロコンピュータで構成されたものであってもよい。
【００９１】
また、上述した実施形態には、本発明にいう配線ボックスの例として、壁に埋め込まれた埋込ボックスを示した。ただし、本発明はこれに限られるものではなく、配線ボックスは、例えば、露出タイプのものであってもよい。
【００９２】
また、上述した実施形態には、本発明にいう副調光器として、壁に配置される副調光器２を示した。ただし、本発明はこれに限られるものではなく、副調光器は、例えば、ＬＥＤ照明器に内蔵されたものであってもよい。また、操作に応じた制御は、ツマミ操作によるものに限られるものではなく、例えば赤外線を利用したワイヤレス制御であってもよい。ただし、副調光器をＬＥＤ照明器から独立する場合には、調光および電源を一体化して配線ボックスに配置し、ＬＥＤ照明器の構成を単純化することができる。
【００９３】
また、上述した実施形態には、本発明にいう配線ボックスの例として、壁に埋め込まれた埋込ボックスを示した。ただし、本発明はこれに限られるものではなく、配線ボックスは、例えば、露出タイプのものであってもよい。
【００９４】
また、上述した実施形態には、本発明にいうＬＥＤ照明器の例として、ダウンライト型のＬＥＤ照明器が示されている。ただし、本発明はこれに限られるものではなく、ＬＥＤ照明器は、例えば、吊下型、壁付型または床置き型であってもよい。
【００９５】
また、主調光器に接続される副調光器の数は３以上であってもよく、また、１つの副調光器に接続されるＬＥＤ照明器の数は２つまたは４つ以上であってもよい。
【符号の説明】
【００９６】
Ｓ１，Ｓ２，Ｓ４    照明システム
１０１    操作部
１，５    主調光器
１１    主電流スイッチング回路
１２    制御回路
２（２ａ，２ｂ）    副調光器
２０１    操作部
２Ｊ    整流平滑回路
２Ｓ    半導体素子による切換部
２Ｋ    チョッパ型電源回路
３（３ａ，３ｂ）    ＬＥＤ照明器
４    商用交流電源
５１    埋込ボックス
５２    配線器具取付枠
Ｃ２２，Ｃ２３    （半導体素子による切換部２Ｓの）コンデンサ
【図１】
0005915230.tif 000002
【図２】
0005915230.tif 000003
【図３】
0005915230.tif 000004
【図４】
0005915230.tif 000005
【図５】
0005915230.tif 000006
【図６】
0005915230.tif 000007
【図７】
0005915230.tif 000008